(57)【要約】【課題】防水性に優れた可搬型放射線撮影装置及び筐体を提供する。【解決手段】可搬型放射線撮影装置（１０）の筐体（１４）は、天板部（２４）を含む前面部（１８）と背面部（２０）とから構成され、背面部（２０）の第２側部（８２）は、前面部（１８）の第１側部（７８）の内側となるように前面部（１８）と嵌合している。前面部（１８）の隅部（１１１）には、防水部材（１１２）が配置され、第２側部（８２）には、防水部材（１１２）を天板部（２４）側に押圧して変形させる凸部（１１４）が形成されている。凸部（１１４）の外側辺（１１５ａ）は傾斜している。【選択図】図５
2015169592.tif 000002
【特許請求の範囲】
【請求項１】
照射された放射線に基づいて画像情報を出力する放射線変換パネルと、前記放射線変換パネルを収める筐体とを有する可搬型放射線撮影装置において、
前記筐体は、前記放射線変換パネルの照射面と対向する平板状の天板部を含む前面部と、該前面部に嵌合する背面部とから構成され、
前記前面部は、前記天板部の端部から前記背面部側に延在する第１側部を備え、
前記背面部は、前記天板部及び前記放射線変換パネルに対向する底板部と、該底板部の端部から前記天板部側に延在する第２側部とを備え、前記第２側部が前記第１側部の内側となるように前記前面部と嵌合し、
前記前面部における前記天板部と前記第１側部との接続部分の内側の隅部には、防水部材が配置され、
前記第２側部には、前記防水部材を前記天板部側に押圧して変形させる凸部が形成され、
該凸部の外側辺は傾斜している
ことを特徴とする可搬型放射線撮影装置。
【請求項２】
請求項１記載の可搬型放射線撮影装置において、
前記第１側部及び前記第２側部は、締結部材によって前記天板部及び前記底板部に沿った方向に嵌合されている
ことを特徴とする可搬型放射線撮影装置。
【請求項３】
請求項１又は２記載の可搬型放射線撮影装置において、
前記防水部材の近傍には、前記底板部から前記天板部側に延在する筐体支持部がさらに形成されており、
前記凸部が前記防水部材を前記天板部側に押圧した際に、前記筐体支持部が前記前面部と接触することにより、前記防水部材に対する前記凸部の押し潰し量を所定の潰し代の位置に規制する
ことを特徴とする可搬型放射線撮影装置。
【請求項４】
請求項１〜３のいずれか１項に記載の可搬型放射線撮影装置において、
前記外側辺の傾斜の角度は、３０°〜６０°である
ことを特徴とする可搬型放射線撮影装置。
【請求項５】
請求項１〜４のいずれか１項に記載の可搬型放射線撮影装置において、
前記凸部の前記防水部材との接触部分の幅は、０．２ｍｍ〜３．０ｍｍである
ことを特徴とする可搬型放射線撮影装置。
【請求項６】
請求項２記載の可搬型放射線撮影装置において、
前記締結部材の露出部分を覆う外部防水部材をさらに有する
ことを特徴とする可搬型放射線撮影装置。
【請求項７】
請求項１〜６のいずれか１項に記載の可搬型放射線撮影装置において、
前記天板部は、前記放射線を透過するカーボン又は樹脂からなる
ことを特徴とする可搬型放射線撮影装置。
【請求項８】
請求項１〜７のいずれか１項に記載の可搬型放射線撮影装置において、
前記隅部に配置される防水部材は、弾性部材である
ことを特徴とする可搬型放射線撮影装置。
【請求項９】
照射された放射線に基づいて画像情報を出力する放射線変換パネルを収納する筐体において、
当該筐体は、平板状の天板部を含む前面部と、該前面部に嵌合する背面部とから構成され、
前記前面部は、前記天板部の端部から前記背面部側に延在する第１側部をさらに備え、
前記背面部は、前記天板部及び前記放射線変換パネルに対向する底板部と、該底板部の端部から前記天板部側に延在する第２側部とを備え、前記第２側部が前記第１側部の内側となるように前記前面部と嵌合し、
前記前面部における前記天板部と前記第１側部との接続部分の内側の隅部には、防水部材が配置され、
前記第２側部には、前記防水部材を前記天板部側に押圧して変形させる凸部が形成され、
該凸部の外側辺が傾斜している
ことを特徴とする筐体。
【発明の詳細な説明】
【技術分野】
【０００１】
本発明は、照射された放射線に基づいて画像情報を出力する放射線変換パネルを収納する筐体と、当該筐体及び放射線変換パネルを有する可搬型放射線撮影装置とに関する。
【背景技術】
【０００２】
被写体を透過した放射線を、筐体の内部に収納した放射線変換パネルで検出し、画像情報に変換して出力する放射線撮影装置が、例えば、特許文献１に開示されている。
【０００３】
特許文献１には、箱型の筐体の開口部分を、放射線を透過可能なカバーで覆い、筐体の底壁の端部から立設する側壁とカバーとを、ネジによって、カバーから底壁に向かう筐体の厚み方向（上下方向）に締結することが開示されている。
【先行技術文献】
【特許文献】
【０００４】
【特許文献１】特開２０００−２５８５４１号公報
【発明の概要】
【発明が解決しようとする課題】
【０００５】
このような可搬型放射線撮影装置は、術場等でも使用される場合がある。この場合、血液等の体液が可搬型放射線撮影装置にかかるおそれがあり、防水性が要求される。
【０００６】
また、可搬型放射線撮影装置は、扁平な形状であり、放射線の照射面に対向する天板部を含む前面部と、当該前面部に嵌合する背面部とから構成される。そのため、被写体とベッドとの間に挿入した際に、被写体から受ける荷重で前面部の中央部分が凹むことにより、当該前面部に撓みが発生すれば、前面部の端部と背面部の端部との間に隙間が発生し、防水性を確保できなくなる可能性がある。
【０００７】
特に、放射線変換パネルのサイズを変更することなく、筐体のサイズを小さくすることにより可搬型放射線撮影装置を小型化する場合、筐体内部での放射線変換パネル以外のスペースが小さくなり、防水部材の設置スペースを確保することが困難となるため、防水性を確保することは容易ではない。
【０００８】
本発明は、このような問題を解決するためになされたものであり、防水性に優れた可搬型放射線撮影装置及び筐体を提供することを目的とする。
【課題を解決するための手段】
【０００９】
本発明は、照射された放射線に基づいて画像情報を出力する放射線変換パネルを収納する筐体と、当該筐体及び放射線変換パネルを有する可搬型放射線撮影装置とに関する。
【００１０】
そして、本発明では、上記の目的を達成するために、筐体は、放射線変換パネルの照射面と対向する平板状の天板部を含む前面部と、当該前面部に嵌合する背面部とから構成される。前面部は、天板部の端部から背面部側に延在する第１側部を備える。背面部は、天板部及び放射線変換パネルに対向する底板部と、当該底板部の端部から天板部側に延在する第２側部とを備え、第２側部が第１側部の内側となるように前面部と嵌合する。
【００１１】
しかも、前面部における天板部と第１側部との接続部分の内側の隅部には、防水部材が配置されている。第２側部には、防水部材を天板部側に押圧して変形させる凸部が形成される。凸部の外側辺は傾斜している。
【００１２】
このように、本発明では、凸部の外側辺が傾斜しており、防水部材を天板部側に押圧して変形させる。すなわち、凸部の外側辺に勾配を設け、天板部と第１側部との接続部分の内側の隅部に配置された防水部材を、当該勾配を介して天板部側に押し潰す。これにより、薄肉且つ単純な構造の防水部材を用いた場合でも、防水性を確保することができる。
【００１３】
また、防水部材の厚みを薄くすることで、可搬型放射線撮影装置全体の厚みを薄くすることができる。この結果、例えば、ベッドに横臥している被写体に対して放射線撮影を行う際、前面部を被写体に向けた状態で、被写体とベッドとの間に可搬型放射線撮影装置を容易に挿入することが可能となる。従って、挿入性に優れた可搬型放射線撮影装置を実現することができる。
【００１４】
ところで、特許文献１には、前述のように、筐体の底壁の端部から立設する側壁とカバーとをネジで筐体の厚み方向（上下方向）に締結している。そのため、ベッドに横臥している被写体の放射線撮影を行う際、カバーを被写体側に向けた状態で、被写体とベッドとの間に可搬型放射線撮影装置を挿入すると、ネジ又はネジ穴が被写体に引っ掛かるおそれがある。
【００１５】
そこで、本発明では、第１側部及び第２側部を締結部材によって天板部及び底板部に沿った方向に嵌合している。このように、筐体の厚み方向と直交する横方向から第１側部と第２側部とを締結部材によって締結するので、被写体と接触する天板部側の凹凸を無くすことができる。これにより、被写体に締結部材を引っ掛けることなく、当該被写体とベッドとの間に可搬型放射線撮影装置を挿入することができる。これにより、可搬型放射線撮影装置の挿入性を高めることができる。
【００１６】
また、前述のように、凸部の外側辺が傾斜していることにより、第１側部及び第２側部を締結部材によって締結する際に、第１側部及び第２側部に作用する締結力に起因した抗力が防水部材に作用するため、当該防水部材を前面部側に効率よく押し潰すことができる。従って、締結部材によって第１側部及び第２側部を締結することにより、防水性も向上させることができる。
【００１７】
また、本発明では、底板部から天板部側に延在する筐体支持部を防水部材の近傍にさらに形成してもよい。この場合、凸部が防水部材を天板部側に押圧した際、筐体支持部が前面部と接触することにより、防水部材に対する凸部の押し潰し量を所定の潰し代の位置に規制する。これにより、被写体から前面部に体圧がかかっても、前面部の変形が防水部材の押し潰し量に及ぼす影響を抑えることができる。
【００１８】
この場合、外側辺の傾斜の角度が３０°〜６０°であれば、凸部によって防水部材を効率よく押し潰すことができる。すなわち、３０°〜６０°である場合には、凸部から防水部材に作用する押圧力の天板部側に向かう成分が大きくなり、防水部材を効果的に押し潰すことができる。
【００１９】
また、凸部の防水部材との接触部分の幅が０．２ｍｍ〜３．０ｍｍであれば、凸部によって防水部材を効率よく押し潰すことができる。また、防水部材の幅が比較的小さいので、筐体の外縁近傍まで可搬型放射線撮影装置の撮影領域を拡大することが可能となる。
【００２０】
なお、上述した幅が０．２ｍｍ以上であると、防水部材に対する押圧面積が広くなり、当該防水部材を好適に押し潰すことができ、防水効果を発揮することができる。一方、３．０ｍｍ以下であれば、筐体内部に凸部を設置することがスペースの都合上容易となる。
【００２１】
また、本発明では、可搬型放射線撮影装置が締結部材の露出部分を覆う外部防水部材をさらに有してもよい。これにより、外部防水部材が締結部材に対する目隠しの役割を果たすと共に、筐体の防水性をさらに高めることができる。
【００２２】
さらに、天板部は、放射線を透過するカーボン又は樹脂からなることが好ましい。これにより、筐体をシンプルな形状で構成することができると共に、放射線の透過率を高め、且つ、筐体の厚みを薄くすることが可能となる。
【００２３】
なお、天板部と第１側部との接続部分の内側の隅部に配置される防水部材が弾性部材であれば、凸部によって容易に押し潰すことができる。
【発明の効果】
【００２４】
本発明によれば、凸部の外側辺が傾斜しており、防水部材を天板部側に押圧して変形させる。これにより、薄肉且つ単純な構造の防水部材を用いた場合でも、防水性を確保することができる。
【図面の簡単な説明】
【００２５】
【図１】本実施形態に係る電子カセッテを前面部側から見た外観斜視図である。
【図２】図１の電子カセッテを背面部側から見た外観斜視図である。
【図３】図１及び図２の電子カセッテのブロック図である。
【図４】図１のＩＶ−ＩＶ線に沿った断面図である。
【図５】本実施形態に係る筐体の側部の拡大断面図である。
【図６】図６Ａは、防水部材を押し潰す前の状態を示す概略説明図であり、図６Ｂは、凸部によって防水部材を押し潰した状態を示す概略説明図である。
【図７】凸部によって防水部材を押し潰し、且つ、ネジ部材によって各側部を締結させた状態を示す概略説明図である。
【図８】本実施形態の第１変形例を示す拡大断面図である。
【図９】本実施形態の第２変形例を示す拡大断面図である。
【図１０】図９の導光部材、リブ及び接着剤を筐体内部から見た拡大斜視図である。
【図１１】図１１Ａ及び図１１Ｂは、本実施形態の第３及び第４変形例を示す拡大断面図である。
【図１２】本実施形態の第５変形例を示す拡大断面図である。
【発明を実施するための形態】
【００２６】
本発明に係る可搬型放射線撮影装置及び筐体の好適な実施形態を、添付の図面を参照しながら詳細に説明する。
【００２７】
［本実施形態に係る電子カセッテ及び筐体の構成］
本実施形態に係る可搬型放射線撮影装置としての電子カセッテ１０は、図１〜図３に示すように、放射線１２を透過可能な可搬型の筐体１４と、筐体１４内に収容され且つ放射線１２を画像情報に変換して出力する画像検出部１６とを有する。
【００２８】
本実施形態に係る筐体１４は、放射線１２が照射される前面部１８と、前面部１８に嵌合する背面部２０とから構成される。前面部１８の中央部分には、矩形状の開口２２が形成されている。開口２２には、軽量で剛性が高く、且つ、放射線１２に対する透過性の高いカーボン又は樹脂で形成された平板状の天板部２４が設けられており、天板部２４は、図４及び図５に示すように、放射線変換パネル３８と対向している。
【００２９】
この場合、矢印Ｚ２方向側に前面部１８が配置される一方で、矢印Ｚ１方向側に背面部２０が配置されている。また、放射線１２は、天板部２４のうち、当該開口２２の範囲に照射される。
【００３０】
筐体１４は、全体的に、軽量化を図ると共に、電磁シールドとしても機能するように構成されている。すなわち、筐体１４における天板部２４以外の箇所は、例えば、導電性樹脂で形成されていることが好ましい。また、天板部２４が樹脂で形成される場合、当該樹脂を導電性樹脂とすることが好ましい。このように筐体１４を構成することにより、電子カセッテ１０内部への電磁ノイズの侵入や、電子カセッテ１０から外部への電磁ノイズの放射を防止することができる。
【００３１】
前面部１８と対向する背面部２０には、バッテリユニット２６が装着されている。バッテリユニット２６は、画像検出部１６に電力を供給するバッテリ２６ａと、当該バッテリ２６ａを収容する箱型のバッテリケース２６ｂとで構成されている。この場合、バッテリユニット２６は、背面部２０に設けられたバッテリ装着部２８に着脱自在に装着される。
【００３２】
なお、図２では、バッテリユニット２６がバッテリ装着部２８に装着され、図示しないロック機構によって、バッテリユニット２６がバッテリ装着部２８から抜けないようロックされた状態を示している。
【００３３】
また、バッテリ装着部２８は、図４及び図５に示すように、背面部２０の一部を前面部１８側に凹ませた凹部として形成され、バッテリユニット２６が隙間なく収まるように、バッテリユニット２６と略同一の形状及びサイズで形成されている。そのため、バッテリ装着部２８の矢印Ｚ方向に沿った深さも、バッテリユニット２６の厚みと略同じ大きさに設定されている。
【００３４】
従って、バッテリユニット２６がバッテリ装着部２８に装着された際、バッテリユニット２６のうち、矢印Ｚ１方向の表面が外部に露出すると共に、当該表面と背面部２０とが略面一になる。なお、図４及び図５では、バッテリ装着部２８を二点鎖線で示している。
【００３５】
図３に示すように、バッテリユニット２６にはコネクタ３０が設けられ、一方で、バッテリ装着部２８にはソケット３２が設けられている。バッテリユニット２６がバッテリ装着部２８に装着されると、コネクタ３０とソケット３２とが嵌合して電気的に接続される。これにより、バッテリ２６ａからコネクタ３０及びソケット３２を介して画像検出部１６に電力を供給し、当該画像検出部１６を駆動させることができる。
【００３６】
また、筐体１４は、図１及び図２に示すように、直方体の形状を有し、フィルムカセッテ、ＩＰカセッテ及びＣＲカセッテと略同様の国際規格ＩＳＯ４０９０：２００１に準拠した大きさに設定されている。さらに、電子カセッテ１０は、放射線１２を照射する図示しない放射線源と前面部１８とが対向する姿勢で保持されるよう、立位撮影台や臥位撮影台のホルダに着脱自在にセットされる。前述のように、電子カセッテ１０は、フィルムカセッテ、ＩＰカセッテ及びＣＲカセッテと略同じ大きさであるため、これらのカセッテが着脱される既存の撮影台に取り付け可能である。
【００３７】
また、電子カセッテ１０は、ベッドに横臥する患者、高齢者や急病人等の自力では動けない患者に対して、単体で使用されることもある。この場合、例えば、ベッドに横臥する患者と当該ベッドとの間において、前面部１８を患者側に向けた状態で患者とベッドとの間に電子カセッテ１０を挿入すればよい。
【００３８】
なお、電子カセッテ１０は、国際規格ＩＳＯ４０９０：２００１に準拠した大きさに設定されなくてもよいことは勿論である。
【００３９】
筐体１４の矢印Ｘ１方向の側面近傍には、医師又は放射線技師等の電子カセッテ１０の操作者が手を通して当該電子カセッテ１０を持ち運ぶための把手３４が形成されている。また、前面部１８における把手３４近傍には、電子カセッテ１０の電源のオン又はオフや、バッテリ２６ａの残量を報知するＬＥＤ等のインジケータ３６が設けられている。
【００４０】
図３において、画像検出部１６は、放射線変換パネル３８と回路部４０とを有する。
【００４１】
放射線変換パネル３８は、図４及び図５に示すように、ガラス製のＴＦＴ（Ｔｈｉｎ  Ｆｉｌｍ  Ｔｒａｎｓｉｓｔｏｒ）アクティブマトリクス基板４２と、放射線１２を可視光に変換する蛍光体としてのシンチレータ４４とを有する。以下の説明では、ＴＦＴアクティブマトリクス基板４２を、単に、ＴＦＴ基板４２ともいう。
【００４２】
シンチレータ４４は、ＣｓＩ：Ｔｌ（タリウム賦活ヨウ化セシウム）やＧＯＳ（Ｇｄ２Ｏ２Ｓ：Ｔｂ、テルビウム賦活ガドリウムオキシサルファイド）等からなる。この場合、放射線変換パネル３８の照射面４５であるＴＦＴ基板４２の上面に放射線１２が照射され、当該ＴＦＴ基板４２を放射線１２が透過した際に、シンチレータ４４は、到達した放射線１２を、当該放射線１２の線量に応じた可視光に変換する。
【００４３】
シンチレータ４４に対向するＴＦＴ基板４２の底面は、撮像領域４６として形成され、当該撮像領域４６には、複数の画素４８が行列状に配置されている。すなわち、複数の画素４８は、所定のピッチで、図３の縦方向にｎ行、及び、横方向にｍ列の行列状に配置されている。なお、ｎ及びｍは、２以上の整数であり、例えば、ｎ＝ｍ≒２０００である。また、画素４８の配列は、図３のように正方配列であってもよいし、ハニカム配列であってもよい。
【００４４】
各画素４８は、シンチレータ４４から可視光が入射されたときに、当該可視光に応じた電荷（電子−正孔対）を発生して蓄積する光電変換部５０と、スイッチング素子であるＴＦＴ５２とを有する。
【００４５】
光電変換部５０は、電荷を発生する半導体層（例えば、ＰＩＮ型）の上下に上部電極及び下部電極を配した構造を有している。下部電極にはＴＦＴ５２が接続され、上部電極には図示しないバイアス線が接続されている。バイアス線は、画素４８の行数分（ｎ行分）設けられて１本の母線に接続されている。母線は図示しないバイアス電源に繋がれている。母線とその子線であるバイアス線とを通じて、バイアス電源から光電変換部５０の上部電極にバイアス電圧が印加される。バイアス電圧の印加により半導体層内に電界が生じ、光電変換によって半導体層内で発生した電荷（電子−正孔対）は、一方がプラス、他方がマイナスの極性を持つ上部電極と下部電極とにそれぞれ移動する。この結果、光電変換部５０に電荷が蓄積される。
【００４６】
ＴＦＴ５２は、ゲート電極が走査線５４に、ソース電極が信号線５６に、ドレイン電極が光電変換部５０にそれぞれ接続されている。走査線５４及び信号線５６は格子状に配線され、走査線５４は、１行分の画素４８に対して共通に１本ずつ、画素４８の行数分（ｎ行分）設けられている。また、信号線５６は、１列分の画素４８に対して共通に１本ずつ、画素４８の列数分（ｍ列分）設けられている。各走査線５４は、ゲートドライバ５８に接続され、各信号線５６は、信号処理回路６０に接続される。
【００４７】
回路部４０は、前述したゲートドライバ５８及び信号処理回路６０に加え、制御部６２、メモリ６４、通信部６６及び電源回路６８を有する。
【００４８】
ゲートドライバ５８は、制御部６２の制御下にＴＦＴ５２を駆動することにより、放射線変換パネル３８に到達した放射線１２の線量に応じた電荷（以下、信号電荷ともいう。）を画素４８に蓄積する蓄積動作と、画素４８に蓄積された信号電荷を読み出す読み出し動作と、画素４８に蓄積された不要電荷を掃き出させるリセット動作とを画像検出部１６に行わせる。
【００４９】
蓄積動作ではＴＦＴ５２がオフ状態にされ、その間に画素４８に信号電荷が蓄積される。読み出し動作では、ゲートドライバ５８から同じ行のＴＦＴ５２を一斉に駆動するゲートパルスＧ１〜Ｇｎを所定の間隔で順次発生して、走査線５４を１行ずつ順に活性化し、走査線５４に接続されたＴＦＴ５２を１行分ずつオン状態とする。これにより、画素４８の光電変換部５０に蓄積された信号電荷は、ＴＦＴ５２がオン状態になると信号線５６に読み出されて、信号処理回路６０に入力される。
【００５０】
信号処理回路６０は、積分アンプ、ＣＤＳ回路、マルチプレクサ及びＡ／Ｄ変換器等を備える。積分アンプ及びＣＤＳ回路は、各信号線５６に対して個別に接続される。積分アンプは、信号線５６から入力された信号電荷を積算し、アナログ電圧信号に変換して出力する。ＣＤＳ回路は、積分アンプからの電圧信号に対して相関二重サンプリングを施し、当該電圧信号を所定期間保持する。マルチプレクサは、パラレルに接続される各列のＣＤＳから順に１つのＣＤＳを電子スイッチで選択し、選択したＣＤＳから出力される電圧信号をシリアルにＡ／Ｄ変換器に入力する。Ａ／Ｄ変換器は、マルチプレクサから入力されたアナログの電圧信号をデジタルの画素値に変換してメモリ６４に出力する。メモリ６４には、画素値が各画素４８の座標に対応付けられて記録される。
【００５１】
従って、ゲートドライバ５８からゲートパルスＧ１〜Ｇｎが供給されてＴＦＴ５２を１行分ずつオン状態にする毎に、メモリ６４には１行分の画素４８の画素値が記録される。全ての行に対する信号電荷の読み出しが完了すると、１枚分の放射線画像を示す画像情報がメモリ６４に記録される。この画像情報はメモリ６４から読み出され、制御部６２で所定の画像処理が施された後、通信部６６を通じて、コンソール等の外部装置に出力される。このようにして患者の放射線画像が検出される。
【００５２】
なお、通信部６６は、無線通信用の電波を発生するアンテナ及び発振回路や、有線通信用のソケット等を有し、無線通信又は有線通信のどちらの通信方式にも対応可能である。また、通信部６６は、コンソール等の外部装置との間で、放射線画像や、放射線１２の照射時間等の撮影条件のやり取りを行う。なお、無線通信には、電波に限らず、赤外線等の光通信も含まれる。
【００５３】
電源回路６８は、バッテリ装着部２８のソケット３２及びコネクタ３０を介してバッテリユニット２６と接続される。電源回路６８は、制御部６２の制御下で、バッテリユニット２６からの所定電圧の電力を、画像検出部１６の各部に適合した電圧の電力に変換して各部に供給する。また、電源回路６８は、バッテリユニット２６から供給される電力の電圧レベルを監視することにより、バッテリ２６ａの残量を検出し、検出結果を制御部６２に出力する。制御部６２は、電源回路６８から送られるバッテリ２６ａの残量に応じて、インジケータ３６の表示を切り替える。なお、電源回路６８には、図示しない外部電源から引かれた電源ケーブルと接続することにより、バッテリユニット２６以外の電源から電力を受けることも可能である。
【００５４】
図４において、筐体１４を構成する前面部１８は、前面カバー７０を有し、当該前面カバー７０に開口２２が形成されている。また、前面カバー７０には、開口２２に連通する溝７４が矢印Ｙ方向に沿って形成され、該溝７４に天板部２４を嵌め込むことにより、前面カバー７０に天板部２４が固定される。この場合、天板部２４の上面と前面カバー７０の上面との間に段差が生じるため、当該段差を埋めるために、天板部２４の上面には、放射線１２を透過する樹脂製の保護フィルム７６が貼り付けられている。これにより、前面部１８の上面は、平坦面となる。
【００５５】
前面カバー７０の両端部は、矢印Ｚ１方向に延在し、前面カバー７０から略立設した側部（第１側部）７８として形成されている。一方、背面部２０は、天板部２４に対向する底板部８０と、底板部８０の両端部から矢印Ｚ２方向に延在し、底板部８０から略立設した側部（第２側部）８２とを備えている。この場合、背面部２０の側部８２が前面カバー７０の側部７８の内側となるように、前面部１８と背面部２０とが嵌合している。
【００５６】
なお、本実施形態では、側部８２の全部が側部７８の内側となるように構成されているが、側部８２の一部のみが側部７８の内側となるように構成されてもよい。
【００５７】
図４及び図５に示すように、各側部７８、８２には、矢印Ｙ方向に沿って延在するネジ孔８４、８６がそれぞれ形成されている。この場合、各ネジ孔８４、８６が略同軸となるように各側部７８、８２を嵌合させた状態で、当該各ネジ孔８４、８６に締結部材としてのネジ部材８８を螺合させると、各側部７８、８２を矢印Ｙ方向に締結させることができる。なお、側部７８には、ネジ孔８４と略同軸に連通し、且つ、ネジ部材８８が各側部７８、８２を締結した際に、ネジ部材８８の頭部９０を収納する凹部９２が形成されている。
【００５８】
このように各側部７８、８２を嵌合させ、且つ、ネジ部材８８で各側部７８、８２を締結することにより、前面部１８と背面部２０とが矢印Ｙ方向に締結されて筐体１４が構成され、当該筐体１４の内部には、放射線変換パネル３８及び回路部４０等を収納する閉空間である収納空間９４が形成される。
【００５９】
前面部１８における前面カバー７０と側部７８との接続部分である角部９６は面取りされ、角部９６の内部には、電子カセッテ１０の落下等によって、外部から衝撃や荷重を受けたときに、収納空間９４に収納された放射線変換パネル３８及び回路部４０等を保護する衝撃吸収材９８が埋め込まれている。本実施形態では、角部９６に限らず、筐体１４の各角部を面取りし、各角部の内部に衝撃吸収材９８を設けてもよい。
【００６０】
また、前面カバー７０と背面部２０との繋ぎ目に相当する側部７８の先端部９７や、底板部８０と側部８２との角部９９も面取りされている。これにより、筐体１４の側面は、角がない滑らかな曲面で繋がることになる。この結果、患者とベッドとの間に電子カセッテ１０を挿入した際、患者に対する電子カセッテ１０の接触感覚がソフトになり、当該電子カセッテ１０の挿入性が向上する。
【００６１】
なお、筐体１４において、各角部９６、９９は、点ではなく、前面カバー７０や背面部２０が異なる方向に湾曲する箇所を示している。
【００６２】
収納空間９４には、底板部８０から立設するスペーサ１００によって基台１０２が支持されている。基台１０２は、金属製のテーブルであり、収納空間９４に収納される各部材のうち、平面積が最も大きな部材である。基台１０２の底面におけるスペーサ１００間には、回路部４０を構成する回路基板１０４がネジ部材１０６を介して基台１０２に固定されている。回路基板１０４には、回路部４０を構成する複数の回路部品１０８が実装されている。
【００６３】
一方、収納空間９４において、基台１０２と天板部２４との間には、放射線変換パネル３８が天板部２４に取り付けられている。
【００６４】
放射線変換パネル３８は、放射線１２が入射する天板部２４から見て、ＴＦＴ基板４２及びシンチレータ４４の順に積層配置されたＩＳＳ（Ｉｒｒａｄｉａｔｉｏｎ  Ｓｉｄｅ  Ｓａｍｐｌｉｎｇ）方式の放射線変換パネルである。この場合、上面が照射面４５であるＴＦＴ基板４２が天板部２４の底面に取り付けられている。また、ＴＦＴ基板４２の底面である撮像領域４６は、シンチレータ４４と対向するように背面部２０側に向けられている。従って、撮像領域４６が形成された底面と反対側の照射面４５に、天板部２４を透過した放射線１２が照射される。
【００６５】
なお、本実施形態では、放射線１２が入射する天板部２４から見て、シンチレータ４４及びＴＦＴ基板４２の順に積層配置したＰＳＳ（Ｐｅｎｅｔｒａｔｉｏｎ  Ｓｉｄｅ  Ｓａｍｐｌｉｎｇ）方式を採用してもよいし、あるいは、放射線１２を電荷に直接変換するアモルファスセレン等の変換層を用いた直接変換型の放射線変換パネルを用いてもよい。
【００６６】
回路基板１０４は、基台１０２を貫通して引き回されたフレキシブルケーブル１１０によりＴＦＴ基板４２と電気的に接続されている。なお、フレキシブルケーブル１１０は、例えば、前述した走査線５４や信号線５６に対応する。
【００６７】
そして、本実施形態に係る電子カセッテ１０及び筐体１４では、図４及び図５に示すように、収納空間９４における前面部１８の角部９６の内側が隅部１１１として形成され、この隅部１１１にポリマーシート又はゴム等からなる弾性部材であり且つパッキンとして機能する防水部材１１２が配置されている。なお、防水部材１１２が配置される隅部１１１は、側部７８の内面１１３に接する位置に形成されていることが好ましいが、後述する凸部１１４の先端部１１８によって防水部材１１２が圧縮された際に、防水部材１１２が隅部１１１及び内面１１３に接するのであれば、隅部１１１は、内面１１３から離間した位置に設けられてもよい。
【００６８】
一方、側部８２の矢印Ｚ２方向の先端部には、各側部７８、８２を嵌合させた際に、防水部材１１２を前面カバー７０側に押圧して変形させる凸部１１４が形成されている。この場合、図５〜図７に示すように、凸部１１４は、防水部材１１２を押圧して、当該防水部材１１２を矢印Ｙ１方向及び矢印Ｚ２方向に効果的に圧縮できるように、凸部１１４の矢印Ｙ方向に沿った外側の側面である外側辺１１５ａが、所定の角度θｓの勾配で傾斜して形成されていることが好ましい。
【００６９】
なお、図５〜図７では、凸部１１４全体で防水部材１１２を押圧するように、断面視で、凸部１１４が略台形状に形成されると共に、外側辺１１５ａと、凸部１１４の矢印Ｙ方向に沿った内側の側面である内側辺１１５ｂとが、台形状の凸部１１４の斜辺である場合を図示している。
【００７０】
すなわち、図７に示すように、凸部１１４の外側辺１１５ａの傾斜の角度θｓは、矢印Ｙ方向に沿った水平面と外側辺１１５ａとの成す角度をいい、３０°〜６０°の範囲内であることが好ましく、４５°であれば一層好ましい。また、凸部１１４における防水部材１１２との接触部分である、当該凸部１１４の先端部１１８、外側辺１１５ａ及び内側辺１１５ｂを含めた矢印Ｙ方向に沿った凸部１１４の幅ｄｗは、０．２ｍｍ〜３．０ｍｍの範囲内であることが好ましい。
【００７１】
なお、図６Ａ〜図７では、側部７８、８２周辺を拡大して図示する共に、説明の容易化のために、各部のハッチングを省略して図示している。
【００７２】
また、図５〜図７には、凸部１１４の両側面である外側辺１１５ａ及び内側辺１１５ｂが角度θｓで傾斜して形成される場合を図示しているが、本実施形態では、前述のように、少なくとも外側辺１１５ａが角度θｓで傾斜していればよい。従って、内側辺１１５ｂについては、矢印Ｚ方向に沿った鉛直な辺であってもよいし、図５〜図７に示すような斜辺であってもよい。以下の説明では、外側辺１１５ａが傾斜し、内側辺１１５ｂも傾斜している場合について説明する。
【００７３】
側部８２の矢印Ｚ２方向の先端部における内側部分には、矢印Ｚ２方向に延在する筐体支持部１２０がさらに形成されている。筐体支持部１２０は、凸部１１４が防水部材１１２を矢印Ｚ２方向に押圧した際に、前面カバー７０と接触することで、凸部１１４によって押し潰された防水部材１１２を、所定の潰し代ｄｓに規制する。
【００７４】
すなわち、筐体支持部１２０の矢印Ｚ２方向の先端部は、前面カバー７０の底面に沿った形状に形成されていることが好ましい。また、筐体支持部１２０の側面は、防水部材１１２に摺接することが好ましい。従って、凸部１１４が防水部材１１２を矢印Ｚ２方向に押圧しても、筐体支持部１２０が前面カバー７０に当接すれば、凸部１１４による防水部材１１２の押し潰し量は、矢印Ｚ方向に沿った先端部１１８と前面カバー７０との間隔である潰し代ｄｓの位置で規制される。
【００７５】
また、防水部材１１２は、凸部１１４によって矢印Ｚ２方向に押圧され、且つ、筐体支持部１２０によって押し潰し量が潰し代ｄｓの位置で規制されることにより、収納空間９４における前面カバー７０、側部８２の先端部、凸部１１４及び筐体支持部１２０で区画される空間を、隙間なくシールすることができる。
【００７６】
［本実施形態に係る電子カセッテを構成する筐体の組み立て］
本実施形態に係る電子カセッテ１０及び筐体１４は、以上のように構成されるものである。
【００７７】
次に、前面部１８と背面部２０とを嵌合してネジ部材８８で締結することにより、筐体１４を組み立てて電子カセッテ１０を構成する場合について、図６Ａ〜図７を参照しながら説明する。
【００７８】
先ず、図６Ａに示すように、前面部１８における角部９６内側の隅部１１１に防水部材１１２を取り付ける。この場合、防水部材１１２は、凸部１１４による押圧を受けていないため、本来の略ブロック状の形状を維持している。
【００７９】
次に、防水部材１１２が取り付けられた前面部１８の直下に背面部２０を配置する。そして、背面部２０の側部８２が前面カバー７０の側部７８の内側となるように、前面部１８と背面部２０とを位置合わせした後に、前面部１８と背面部２０とを近接させる（例えば、前面部１８に向かって背面部２０を移動させる）。
【００８０】
これにより、前面カバー７０の側部７８の内面１１３に背面部２０の側部８２が接触し、この状態で背面部２０を前面部１８にさらに移動させると、側部７８の内面１１３に対して側部８２が摺動し、凸部１１４の先端部１１８が防水部材１１２の底面に接触する。
【００８１】
前述のように、防水部材１１２は、ポリマーシート又はゴム等の弾性部材である。そのため、背面部２０が前面部１８に向かって移動すると、防水部材１１２は、凸部１１４の先端部１１８からの押圧力によって一部変形する。さらに、背面部２０が前面部１８に向かって移動すると、一部変形した防水部材１１２は、凸部１１４からの押圧力を受けて全体的に変形する。
【００８２】
この場合、防水部材１１２は、凸部１１４の先端部１１８及び外側辺１１５ａから押圧力を受けると共に、防水部材１１２の両側面が側部７８と筐体支持部１２０とによって矢印Ｙ方向への変形が規制されている。そのため、当該押圧力によって、防水部材１１２は、図６Ｂに示すように、矢印Ｚ２方向に圧縮変形される。
【００８３】
その後、筐体支持部１２０が前面カバー７０の底面に当接すると、凸部１１４による防水部材１１２の押し潰し量は、潰し代ｄｓの位置で規制される。これにより、側部７８の先端部９７及び背面部２０の角部９９は略面一になると共に、２つのネジ孔８４、８６及び凹部９２は略同軸となる。
【００８４】
そこで、ネジ部材８８を２つのネジ孔８４、８６に螺合させて、各側部７８、８２を締結させると、図７に示すように、ネジ部材８８から各側部７８、８２には、矢印Ｙ２方向に向かう締結力Ｆｃが作用する。この場合、防水部材１１２は、凸部１１４によって押圧された状態で、前面カバー７０、各側部７８、８２、凸部１１４及び筐体支持部１２０に接触している。そのため、各側部７８、８２に締結力Ｆｃが作用すると、外側辺１１５ａには、当該締結力Ｆｃに対する抗力Ｆｄが、外側辺１１５ａに直交する方向に沿って、外側辺１１５ａから防水部材１１２に作用する。
【００８５】
図７に示すように、抗力Ｆｄは、矢印Ｚ２方向及び矢印Ｙ１方向の成分を有する力であり、防水部材１１２を前面カバー７０の底面に向かって押圧する力である。この抗力Ｆｄによって、防水部材１１２は、前面カバー７０と側部８２との間の隙間をシールする。つまり、防水部材１１２は、側部８２が矢印Ｚ２方向に移動することにより凸部１１４から受ける上方向の押圧力と、抗力Ｆｄによる上方向及び左右方向の力によって圧縮変形され、当該隙間をシールすることになる。
【００８６】
このように前面部１８と背面部２０とを嵌合させ、ネジ部材８８によって矢印Ｙ方向に締結することにより、筐体１４が構成されると共に、前面部１８と背面部２０との嵌合箇所を防水部材１１２で確実にシールして、外部から収納空間９４への水等の浸入を阻止することができる。
【００８７】
［本実施形態に係る電子カセッテ及び筐体の効果］
以上説明したように、本実施形態に係る電子カセッテ１０及び筐体１４によれば、背面部２０の側部８２の先端部に形成された凸部１１４に傾斜した外側辺１１５ａを設け、前面部１８における角部９６内側の隅部１１１に取り付けられた防水部材１１２を、凸部１１４によって前面カバー７０側に押圧して圧縮変形させる。すなわち、本実施形態では、凸部１１４に勾配した（傾斜した）外側辺１１５ａを設け、隅部１１１に取り付けられた防水部材１１２を、当該勾配を介して前面カバー７０側に押し潰す。これにより、薄肉且つ単純な構造の防水部材１１２を用いた場合でも、防水性を確保することができる。
【００８８】
また、防水部材１１２の厚みを薄くすることで、電子カセッテ１０全体の厚みを薄くすることができる。この結果、例えば、ベッドに横臥している被写体としての患者に対して放射線撮影を行う際、前面部１８を患者に向けた状態で、患者とベッドとの間に電子カセッテ１０を容易に挿入することが可能となる。従って、挿入性に優れた電子カセッテ１０を実現することができる。
【００８９】
ところで、特許文献１には、筐体の底壁の端部から立設する側壁とカバーとをネジで筐体の厚み方向（上下方向）に締結している。そのため、ベッドに横臥している患者の放射線撮影を行う際、カバーを患者側に向けた状態で、患者とベッドとの間に電子カセッテを挿入すると、ネジ又はネジ穴が患者に引っ掛かるおそれがある。
【００９０】
そこで、本実施形態に係る電子カセッテ１０及び筐体１４では、各側部７８、８２をネジ部材８８によって天板部２４及び底板部８０に沿った矢印Ｙ方向に嵌合させている。このように、筐体１４の厚み方向である矢印Ｚ方向と直交する横方向（矢印Ｙ方向）から各側部７８、８２をネジ部材８８によって締結するので、患者と接触する天板部２４側の凹凸を無くすことができる。これにより、患者にネジ部材８８を引っ掛けることなく、当該患者とベッドとの間に電子カセッテ１０を挿入することができる。これにより、電子カセッテ１０の挿入性を高めることができる。
【００９１】
また、前述のように、凸部１１４の外側辺１１５ａが傾斜して形成されることにより、各側部７８、８２をネジ部材８８によって締結する際、各側部７８、８２に作用する締結力Ｆｃに起因した抗力Ｆｄが防水部材１１２に作用する。そのため、防水部材１１２を前面カバー７０側に効率よく押し潰すことができる。従って、ネジ部材８８によって各側部７８、８２を締結することにより、防水性も向上させることができる。
【００９２】
また、電子カセッテ１０では、側部８２から矢印Ｚ２方向に延在する筐体支持部１２０が防水部材１１２近傍に形成されているため、凸部１１４が防水部材１１２を前面カバー７０側に押圧した際、筐体支持部１２０が前面カバー７０と接触することにより、凸部１１４による防水部材１１２の押し潰し量を所定の潰し代ｄｓの位置で規制することができる。また、筐体支持部１２０が前面部１８を支持する形となるため、患者から前面部１８に体圧がかかっても、前面部１８の変形が防水部材１１２の押し潰し量に及ぼす影響を抑えることができる。
【００９３】
この場合、外側辺１１５ａの角度θｓが３０°〜６０°であれば、凸部１１４によって防水部材１１２を効率よく押し潰すことができる。特に、４５°であれば、より効果的に防水部材１１２を押し潰すことができる。なお、３０°〜６０°である場合には、凸部１１４から防水部材１１２に作用する押圧力の前面カバー７０側に向かう成分（矢印Ｚ２方向の成分）が大きくなり、防水部材１１２を効果的に押し潰すことができる。
【００９４】
また、凸部１１４の防水部材１１２との接触部分の幅ｄｗ（外側辺１１５ａ、内側辺１１５ｂ及び先端部１１８を含めた凸部１１４の矢印Ｙ方向に沿った幅）が０．２ｍｍ〜３．０ｍｍであれば、凸部１１４によって防水部材１１２を効率よく押し潰すことができる。また、防水部材１１２の幅が比較的小さければ、筐体１４の側面近傍まで電子カセッテ１０の照射面４５及び撮像領域４６を拡大することが可能となる。
【００９５】
なお、上述した幅ｄｗが０．２ｍｍ以上であると、防水部材１１２に対する凸部１１４の押圧面積が広くなり、当該防水部材１１２を好適に押し潰すことができ、防水効果を発揮することができる。一方、幅ｄｗが３．０ｍｍ以下であれば、筐体１４内部の収納空間９４に凸部１１４を設置することがスペースの都合上容易となる。
【００９６】
さらに、天板部２４は、放射線１２を透過するカーボン又は樹脂からなることが好ましい。これにより、筐体１４をシンプルな形状で構成することができると共に、放射線１２の透過率を高め、且つ、筐体１４の厚みを薄くすることが可能となる。すなわち、軽量且つ剛性の高い材質で天板部２４を構成すれば、前面部１８が患者から荷重を受けても、天板部２４の変形を抑えることができ、防水部材１１２の押し潰し量に及ぼす影響を抑えることができる。
【００９７】
なお、前面部１８の角部９６内側の隅部１１１に配置される防水部材１１２が弾性部材であれば、凸部１１４によって容易に押し潰すことができる。
【００９８】
上記のように、本実施形態に係る電子カセッテ１０及び筐体１４では、ネジ部材８８で各側部７８、８２を矢印Ｙ方向に締結する場合について説明した。本実施形態は、上記の説明に限定されることはなく、矢印Ｙ方向に各側部７８、８２を締結できるのであれば、ネジ部材８８以外の各種の締結部材を採用してもよいことは勿論である。
【００９９】
また、上記の説明では、凸部１１４が断面台形状であり、その外側の斜辺である外側辺１１５ａが傾斜して形成される場合について説明した。本実施形態では、凸部１１４が防水部材１１２を押圧することにより、当該防水部材１１２を圧縮変形させることができるのであれば、外側辺１１５ａは、直線上に傾斜するのではなく、曲面状に傾斜して形成されてもよい。
【０１００】
さらに、防水部材１１２についても、図６Ａのような略ブロック状ではなく、例えば、前面カバー７０の形状や凸部１１４の形状に応じて、一律の厚みではなく、場所によって厚みを変更してもよい。
【０１０１】
また、上記の説明では、図４〜図７の紙面に直交する矢印Ｘ方向に沿って、防水部材１１２を隅部１１１に設けた場合について説明した。本実施形態では、この説明に限定されることはなく、矢印Ｘ方向のみならず、矢印Ｙ方向に沿って防水部材１１２を設けたり、あるいは、電子カセッテ１０及び筐体１４内部の全周に亘って防水部材１１２を設けてもよい。
【０１０２】
［本実施形態の変形例］
次に、本実施形態に係る電子カセッテ１０及び筐体１４の変形例（第１〜第５変形例）について、図８〜図１２を参照しながら説明する。なお、第１〜第５変形例において、図１〜図７の電子カセッテ１０及び筐体１４と同じ構成要素については、同じ参照符号を付けて詳細な説明を省略する。
【０１０３】
図８に示す第１変形例では、側部７８に段差部１３０が形成され、該段差部１３０にネジ部材８８の頭部９０及び凹部９２を覆うシール部材としての外部防水部材１３２が取り付けられている。この場合、外部防水部材１３２の角部１３４を面取りすれば、第１変形例でも、筐体１４の側面を角がない滑らかな曲面で繋げることができる。
【０１０４】
このように第１変形例では、ネジ部材８８の頭部９０及び凹部９２を覆う外部防水部材１３２をさらに設けたので、外部防水部材１３２がネジ部材８８に対する目隠しの役割を果たすと共に、筐体１４の防水性をさらに高めることができる。
【０１０５】
なお、第１変形例では、外部防水部材１３２は、シール部材に代えて、接着剤を用いてもよい。この場合、接着剤は、筐体１４の側面が滑らかな曲面で繋がるように、段差部１３０に充填することが好ましい。
【０１０６】
図９及び図１０に示す第２変形例では、背面部２０の角部９９を貫通するように、透明又は半透明のポリカーボネート又はアクリル樹脂からなる導光部材１３６が取り付けられ、収納空間９４における導光部材１３６の基端部にＬＥＤ１３８が配置されている。この場合、背面部２０の収納空間９４側の表面には、収納空間９４に挿入された導光部材１３６の基端部を囲繞するリブ１４０が設けられている。リブ１４０の内側には、透明又は半透明の接着剤１４２が充填されている。これにより、背面部２０の角部９９を貫通する導光部材１３６を背面部２０に固定して、接着剤１４２をシール部材として機能させることで、筐体１４の防水性を確保すると共に、該接着剤１４２も導光部材として機能させることができる。従って、ＬＥＤ１３８が発光した場合、導光部材１３６及び接着剤１４２を介して、ＬＥＤ１３８の光を外部に出力することが可能となり、インジケータとして機能させることができる。
【０１０７】
図１１Ａに示す第３変形例では、背面部２０の角部９９を貫通するように、断面略Ｔ字状で且つ導光部材１３６と同じ材質からなる導光部材１４４が配置されている。導光部材１４４は、透明又は半透明の接着剤１４６により角部９９に固定されている。この場合、導光部材１４４における角部９９の貫通部分の幅は、角部９９に形成され且つ当該貫通部分が挿通する孔１４８の直径よりも細い。そのため、接着剤１４６は、貫通部分と孔１４８との隙間を埋めるように充填されている。従って、導光部材１４４の外部との露出部分、貫通部分、及び、収納空間９４に挿入された基端部は、接着剤１４６によって背面部２０の角部９９にしっかりと固定される。
【０１０８】
収納空間９４に配置されるＬＥＤ１５０は、接着剤１４６を介して導光部材１４４の基端部に対向している。この場合でも、背面部２０の角部９９を貫通する導光部材１４４を接着剤１４６で角部９９に固定することにより、当該接着剤１４６をシール部材として機能させて、筐体１４の防水性を確保すると共に、接着剤１４６も導光部材として機能させることができる。従って、ＬＥＤ１５０が発光した場合、接着剤１４６及び導光部材１４４を介して、ＬＥＤ１５０の光を外部に出力することが可能となり、インジケータとして機能させることができる。
【０１０９】
なお、第３変形例では、接着剤１４６に代えて、透明又は半透明の防水テープで導光部材１４４を背面部２０の角部９９に固定させてもよい。この場合でも、筐体１４の防水性を確保することができ、且つ、防水テープを導光部材として機能させることができる。
【０１１０】
図１１Ｂに示す第４変形例では、導光部材１４４の貫通部分の中間位置に凹部１５２が設けられ、当該凹部１５２を接着剤１４６が溜まる箇所として機能する。これにより、導光部材１４４の貫通部分が接着剤１４６で囲繞されるので、導光部材１４４を確実に背面部２０の角部９９に固定させることができると共に、接着剤１４６による防水シール機能をさらに向上させることができる。なお、第４変形例では、ＬＥＤ１５０が導光部材１４４の基端部内に挿入されている。そのため、ＬＥＤ１５０が発光した際、ＬＥＤ１５０からの光を、導光部材１４４を介して外部に確実に出力させて、インジケータとして機能させることができる。
【０１１１】
図１２に示す第５変形例では、背面部２０の角部９９に凹部１５２が形成され、該凹部１５２が孔１５４を介して収納空間９４に連通している。この場合、導光部材１３６、１４４と同じ材質からなる導光部材１５６は、凹部１５２及び孔１５４に沿った段差形状であり、導光部材１５６と凹部１５２及び孔１５４との隙間には、粘着性且つ防水性を有するシート部材１５８が押し込まれている。
【０１１２】
シート部材１５８は、袋状であり、背面部２０の角部９９周辺を覆うと共に、その一部が導光部材１５６と凹部１５２及び孔１５４との隙間に押し込まれ潰された状態となっている。当該隙間に押し込まれたシート部材１５８の一部は、熱又は超音波によって背面部２０に溶着することで、導光部材１５６と凹部１５２及び孔１５４との隙間における防水性を確保することができる。
【０１１３】
なお、第５変形例において、ＬＥＤ１６０は、導光部材１５６の基端部内に挿入されている。そのため、ＬＥＤ１６０が発光した際、ＬＥＤ１６０からの光を、導光部材１５６を介して外部に確実に出力させて、インジケータとして機能させることができる。
【０１１４】
また、第２〜第５変形例では、接着剤１４２、１４６又はシート部材１５８によって導光部材１３６、１４４、１５６を背面部２０の角部９９に固着させることにより、防水性を確保する場合について説明した。本実施形態では、バッテリ装着部２８に対するバッテリユニット２６の固定や、通信部６６を構成するアンテナの開口部の固定に、第２〜第５変形例を適用可能である。
【０１１５】
なお、本発明は、上述した実施形態に限定されるものではなく、本発明の主旨を逸脱しない範囲で自由に変更できることは勿論である。
【符号の説明】
【０１１６】
１０…電子カセッテ                        １２…放射線
１４…筐体                                １６…画像検出部
１８…前面部                              ２０…背面部
２４…天板部                              ３８…放射線変換パネル
４５…照射面                              ７０…前面カバー
７８、８２…側部                          ８０…底板部
８４、８６…ネジ孔                        ８８…ネジ部材
９０…頭部                                ９２、１５２…凹部
９４…収納空間                            ９６、９９、１３４…角部
９７、１１８…先端部                      １１１…隅部
１１２…防水部材                          １１３…内面
１１４…凸部                              １１５ａ…外側辺
１１５ｂ…内側辺                          １２０…筐体支持部
１３０…段差部                            １３２…外部防水部材
１３６、１４４、１５６…導光部材          １３８、１５０、１６０…ＬＥＤ
１４０…リブ                              １４２、１４６…接着剤
１５８…シート部材
【図１】
2015169592.tif 000003
【図２】
2015169592.tif 000004
【図３】
2015169592.tif 000005
【図４】
2015169592.tif 000006
【図５】
2015169592.tif 000007
【図６】
2015169592.tif 000008
【図７】
2015169592.tif 000009
【図８】
2015169592.tif 000010
【図９】
2015169592.tif 000011
【図１０】
2015169592.tif 000012
【図１１】
2015169592.tif 000013
【図１２】
2015169592.tif 000014